(57)【要約】【課題】  収納型ベッドの収納庫に収納されたふとんや寝間着等の収納物を収納したまま乾燥させることができ、特に既に使用しているベッドの収納庫に新たに、取り付けるだけで収納物を乾燥することができる収納庫乾燥装置を提供する。【解決手段】  温風供給ユニット８と、気密性を有する袋１２とこの袋１２内に収納した立体格子空間材１１とにより構成した空気流通路６と、この空気流通路６の上面の一部に設けられた開口部１３と、前記温風供給ユニット８と空気流通路６とを連結する連結手段７と、前記空気流通路６に接続され空気流通路６の上面全体を覆うことのできるカバー部１４とから構成される。【選択図】  図３
2005245820.tif 000002
【特許請求の範囲】
【請求項１】
温風供給ユニット（８）と、気密性を有する袋（１２）とこの袋（１２）内に収納した立体格子空間材（１１）とにより構成した空気流通路（６）と、この空気流通路（６）の上面の一部に設けられた開口部（１３）と、前記温風供給ユニット（８）と空気流通路（６）とを連結する連結手段（７）と、空気流通路（６）に接続され空気流通路（６）の上面全体を覆うことのできるカバー部（１４）とから構成されることを特徴とする収納庫乾燥装置。
【発明の詳細な説明】
【技術分野】
【０００１】
本発明はベッド等の収納庫にふとんや寝間着等の収納物を収納したまま簡単に収納物を乾燥させることができる収納庫乾燥装置に関するものである。
【背景技術】
【０００２】
従来のベッドの収納庫にふとんや寝間着等を収納することができる収納型ベッドは、収納型ベッドの側板と、ベッドボードと、フットボードと、底板と、天板とにより収納庫が形成され、天板を跳ね上げることにより、内部の収納庫にふとんや寝間着等の収納物を収納することはできたが、乾燥装置が組み込まれていないため収納物が梅雨時等に湿気った場合は、いちいち収納物を取り出し天日干しするか、乾燥機に入れ乾燥しなければならないものであった（例えば、特許文献１参照）。
【０００３】
また、ふとんを乾燥させるため、押し入れ内の空間を有効に活用して押し入れに収納した状態で乾燥できるように、押し入れの棚板下部に乾燥装置を設置し、棚板に載置したふとんを畳んだまま除湿乾燥するものがある（例えば、特許文献２参照）。
【０００４】
【特許文献１】特開２００１−６１６００号公報
【０００５】
【特許文献２】特開平５−３３７２９１号公報
【発明の開示】
【発明が解決しようとする課題】
【０００６】
ところで、上記の従来技術において、前者のものは収納型ベッドの収納庫に乾燥装置が組み込まれていないため、収納物を乾燥するには天日干しするか、乾燥機に入れて乾燥するしかなかったが、収納物が湿気るのは梅雨時が多く、天日干しができない日が多いため乾燥機を必要とすることが多々あった。
【０００７】
また、収納型ベッドの収納物はふとん等大型のものが多いため、家庭用の乾燥機に入れて乾燥することは困難であり、大きな乾燥機に収納して乾燥する必要があり、乾燥が大変面倒なものであった。
【０００８】
また、ふとんが羽毛ふとんの場合は湿気を持つと変色したり、臭いを持つ場合があり、簡単に手軽に乾燥できるものが望まれていた。
【０００９】
後者のものは、押し入れ内の布団を乾燥させるものであり、これを収納型ベッドに取り付けようとしても押し入れと構造が異なるため取付ができないものであった。
【課題を解決するための手段】
【００１０】
本発明は上記の問題を解決するためになされたものであり、温風供給ユニットと、気密性を有する袋とこの袋内に収納した立体格子空間材とにより構成した空気流通路と、この空気流通路の上面の一部に設けられた開口部と、前記温風供給ユニットと空気流通路とを連結する連結手段と、前記空気流通路に接続され空気流通路の上面全体を覆うことのできるカバー部とから構成されるものである。
【発明の効果】
【００１１】
本発明の収納庫乾燥装置は、上記のように構成したことにより、収納庫乾燥装置をベッドの収納庫に挿入載置して温風供給ユニットと接続し、温風を供給することで、収納庫に収納物を収納したまま乾燥することができる。
【００１２】
また、空気流通路の上面の一部に開口部を設けたことで、袋状の空気流通路に温風を送り込んでも、袋が膨らんで収納物を押し上げることもないため使いやすいものである。
【００１３】
また、空気流通路と温風供給ユニットとを連結手段で接続した状態では、収納庫の蓋である天板を閉めることができないが、空気流通路の上面全体を覆うことのできるカバー部を有しているため、カバー部を収納物の上に被せることで、開口部から吹き出される温風を簡単に室内に放出することなく、収納庫内に滞留させることができるため収納物を確実に乾燥させることができる。
【００１４】
また、収納庫の蓋である天板を開けたままでもふとんや寝間着等の収納物を乾燥させることができるため、ベッド本体に温風供給ユニットからの温風を供給するための穴などを設ける必要がなく、既に使用しているベッドの収納庫に新たに、収納庫乾燥装置を取り付けるだけで、収納庫内の収納物の乾燥が簡単にできるため使い勝手がよい。
【００１５】
また、立体格子空間材の厚さを必要最小限の空気の流通量が確保できる厚さ（５〜２０ｍｍ）にすれば、余分な空間を取ることがないため、収納物を入れる空間を奪わず、収納庫に入れっぱなしにして使用することができ、温風供給ユニットを接続するだけで、いつでも簡単に収納物を乾燥することができる。
【００１６】
さらに、空気流通路を気密性のある繊維で袋状とし、立体格子空間材をナイロン等の糸を多数編み込んで構成したことにより、使用しない時は収納庫乾燥装置を収納庫より取り出して、折り畳めば場所を取らず保管することができる。
【発明を実施するための最良の形態】
【００１７】
以下、本発明の一実施例を図１〜図５を参照して説明する。図１は本発明の一実施例を示す収納庫乾燥装置を収納して使用する収納型ベッドの斜視図、図２は同じく収納庫乾燥装置を収納して使用する収納型ベッドに収納物を入れた状態の斜視図、図３は同じく収納庫乾燥装置を収納型ベッドの収納庫内に収納した状態を示す斜視図、図４は図３のＡ−Ａ断面を示す縦断面図、図５は本発明の一実施例を示す収納庫乾燥装置本体の平面図である。
【００１８】
図において、１はベッド本体で、内部に収納庫３を有している。２は天板で、図２に示すように天板２を跳ね上げることで収納庫３内にふとんや寝間着等の収納物４を収納でき、収納した後、天板２を閉めればそのままベッドとして使用することができる。
【００１９】
５は収納庫乾燥装置本体で、内部に空気流通路６を有している。
【００２０】
７ａは連結管で、パイプ状の形状をしていて収納庫乾燥装置本体５から伸びているものであり、収納庫３の外に設置している後記する温風供給ユニット８のホース７ｂと連結するためのものである。そして、先端部にマジックテープ７ｃが付けられていてホース７ｂを連結管７ａに差し込んで、マジックテープ７ｃで押さえて固定し容易に抜けなくしている。なお、連結管７ａとホース７ｂとで接続する様にした部分を連結手段７としている。
【００２１】
７ｂはホースで、後記する温風供給ユニット８に接続されているものである。
【００２２】
８は温風供給ユニットで、ヒータにより加熱した空気をファンによりホース７ｂを介して空気流通路６に送風するものである。
【００２３】
１０は温風で、温風供給ユニット８から送風された温風の流れを示している。
【００２４】
１１は立体格子空間材で、ナイロン等の糸を多数編み込んで構成してあり、これにより空気層が連通して形成されていて空気が流通できるものであり、空気流通路６を構成していて、ふとんや寝間着等の収納物程度の圧縮強度に耐え容易につぶれずに空気が流通できるものである。なお、立体格子空間材１１の厚さは収納庫３の広さと収納物４の重量を勘案して、必要最小限の空気の流通量が確保できるような厚さである５〜２０ｍｍが適当である。
【００２５】
１２は袋で、立体格子空間材１１を内部に収納していて気密性のある繊維で袋状にしたものであり、前記連結管７ａとは一体に構成されている。
【００２６】
１３は開口部で、空気流通路６の上面すなわち袋１２の上面の一部に設けられていて、この部分は通気性のある生地で縫われている構成のものであり、ここから立体格子空間材１１の連通している空気層を通った温風１０が収納庫３内に吹き出され、収納物４に吹き付けられ、収納物４を乾燥させることができる。
【００２７】
１４はカバー部で、空気流通路６の上面全体を覆うことができ、空気流通路６に一体的に接続されて構成され、収納庫乾燥装置本体５の一部となっている。そして、このカバー部１４は空気流通路６の上に載置される収納物４を覆うように被せることができるものである。
【００２８】
そして、この収納庫乾燥装置本体５がベッド本体１の収納庫３の下部に挿入載置されて、温風供給ユニット８と接続されることで、収納庫乾燥装置として機能する。
【００２９】
次に、以上の構成による作用を説明する。収納庫乾燥装置本体５である空気流通路６をベッド本体１の収納庫３の下部に挿入載置し、温風供給ユニット８と空気流通路６をホース７ｂと連結管７ａによる連結手段７により接続することで、空気流通路６内の立体格子空間材１１に温風を送風する。
【００３０】
そして、空気流通路６内に送風された温風は立体格子空間材１１の連通している空気層により袋１２内に行き渡らせることができ、袋１２の上面に設けられた開口部１３から温風１０が収納庫３内に放出される。
【００３１】
そして、収納庫３内に放出された温風１０により収納庫３内に収納した収納物４が加熱され温度が上昇するとともに乾燥させることができる。
【００３２】
そして、空気流通路６は袋１２の内部に立体格子空間材１１を収納した構成であることから、空気流通路６の上に重量のあるふとんや寝間着等の収納物４を載置しても温風１０が流れる空気の流通路を確保でき、開口部１３から温風１０を収納庫３内に送風することができるものである。
【００３３】
また、袋１２は気密性の生地でできていること、および開口部１３は袋１２の上面の一部にしか設けていないため、温風１０が立体格子空間材１１内に行き渡らずに収納庫３内に放出されることを防止することができるため、収納物４を均一に加熱し乾燥することができるものである。
【００３４】
このように、空気流通路６の上面の一部に開口部１３を設けたことで、袋状の空気流通路６に温風を送り込んでも、袋１２が膨らんで収納物４を押し上げることもないため使いやすいものである。
【００３５】
また、空気流通路６と温風供給ユニット８とを連結手段７で接続した状態では、収納庫３の蓋である天板２を閉めることができないが、空気流通路６の上面全体を覆うことのできるカバー部１４を有しているため、カバー部１４を収納物４の上に被せることで、開口部１３から吹き出される温風１０を簡単に室内に放出することなく、収納庫３内に滞留させることができるため収納物４を確実に乾燥させることができる。
【００３６】
また、収納庫３の蓋である天板２を開けたままでもふとんや寝間着等の収納物４を乾燥させることができるため、ベッド本体１に温風供給ユニット８からの温風を供給するための穴などを設ける必要がなく、既に使用しているベッドの収納庫に新たに、収納庫乾燥装置を取り付けるだけで、収納庫３内の収納物４の乾燥が簡単にできるため使い勝手がよい。
【００３７】
また、立体格子空間材１１の厚さを必要最小限の空気の流通量が確保できる厚さ（５〜２０ｍｍ）にすれば、余分な空間を取ることがないため、収納物４を入れる空間を奪わず、収納庫３に入れっぱなしにして使用することができ、温風供給ユニット８を接続するだけで、いつでも簡単に収納物４を乾燥することができる。
【００３８】
さらに、空気流通路６を気密性のある繊維で袋状とし、立体格子空間材１１をナイロン等の糸を多数編み込んで構成したことにより、使用しない時は収納庫乾燥装置を収納庫３より取り出して、折り畳めば場所を取らず保管することができる。
【図面の簡単な説明】
【００３９】
【図１】本発明の一実施例を示す収納庫乾燥装置を収納して使用する収納型ベッドの斜視図である。
【図２】同じく収納庫乾燥装置を収納して使用する収納型ベッドに収納物を入れた状態の斜視図である。
【図３】同じく収納庫乾燥装置を収納型ベッドの収納庫内に収納した状態を示す斜視図である。
【図４】図３のＡ−Ａ断面を示す縦断面図である。
【図５】本発明の一実施例を示す収納庫乾燥装置本体の平面図である。
【符号の説明】
【００４０】
６  空気流通路
７  連結手段
８  温風供給ユニット
１１  立体格子空間材
１２  袋
１３  開口部
１４  カバー部
【図１】
2005245820.tif 000003
【図２】
2005245820.tif 000004
【図３】
2005245820.tif 000005
【図４】
2005245820.tif 000006
【図５】
2005245820.tif 000007